【事件の表示】
　特許第２９９２７９９号「間仕切パネル」の請求項１、２に係る特許に対する特許異議の申立てについて、次のとおり決定する。
【結　論】
　訂正を認める。
　特許第２９９２７９９号の請求項１に係る特許を取り消す。
【理　由】
１．手続の経緯
　本件特許第２９９２７９９号に係る出願は、平成６年２月１６日の出願であって、平成１１年１０月２２日にその特許の設定登録がなされ、その後藤田肇から異議の申立がなされ、取消理由が通知され、その指定期間内である平成１２年１１月６日に訂正請求がなされたものである。
　
２．訂正の要旨
　訂正事項ａ：特許請求の範囲の請求項１を、次のように訂正する。
「外周を規定する枠体と、該枠体の内側に配設された補強芯材と、前記枠体の両面に取り付けられた耐火性面材とを有する間仕切パネルであって、前記枠体および前記補強芯材は、板状の石膏ボード材を内部に間隙が形成されないように巻回して形成された前記石膏ボード材のみからなる柱状部材により構成されていることを特徴とする間仕切パネル。」
　訂正事項ｂ：特許請求の範囲の請求項２を削除する。
　訂正事項ｃ：明細書の段落【０００５】を、次のように訂正する。
「【課題を解決するための手段】上記目的を達成するものは、外周を規定する枠体と、該枠体の内側に配設された補強芯材と、前記枠体の両面に取り付けられた耐火性面材とを有する間仕切パネルであって、前記枠体および前記補強芯材は、板状の石膏ボード材を内部に間隙が形成されないように巻回して形成された前記石膏ボード材のみからなる柱状部材により構成されていることを特徴とする間仕切パネルである。」
　訂正事項ｄ：明細書の「【０００７】また、前記柱状部材は、切断された石膏ボード材が部材内に充填されることにより全体が密なものとなっていることが好ましい。」を削除する。
　訂正事項ｅ：明細書の段落【００１４】を、次のように訂正する。
「補強芯材３は、パネル１の強度を高めるものであり、この実施例では、縦方向に配置された縦用補強芯材３ａと、横方向に２本配置された横用補強芯材３ｂとから構成されている。そして、補強芯材３は、枠体２と同様、石膏ボード材７で形成された柱状部材６にて構成されている。本実施例の間仕切パネル１は、枠体２と共に補強芯材３が石膏ボード材７で構成されているので、補強芯材が木質材または軽量鉄骨材で形成されたパネルに比してより耐火性に優れている。」
　訂正事項ｆ：明細書の【図面の簡単な説明】を、次のように訂正する。
「【図１】本発明の間仕切パネルの一実施例の斜視図である。
【図２】図１に示した間仕切パネルの枠体または補強芯材を構成する柱状部材の横断面図である。
【図３】図１に示した枠体または補強芯材を構成する柱状部材の展開図である。」
　訂正事項ｇ：図４を削除する。
　
３．訂正の適否
　上記訂正事項ａ、ｂに係る訂正は、特許請求の範囲の減縮を目的とするものであり、しかもその訂正は、願書に添附した明細書又は図面に記載した事項の範囲内のものであり、さらに実質上実用新案登録請求の範囲を拡張し、又は変更するものではない。
　また、訂正事項ｃに係る訂正は、訂正事項ａに関連して特許請求の範囲との整合をとるためなされた明瞭でない記載の釈明に該当し、訂正事項ｄ〜ｇに係る訂正は、訂正事項ｂに関連してなされた明瞭でない記載の釈明に該当し、いずれの訂正も願書に添附した明細書又は図面に記載した事項の範囲内のものであり、実質上特許請求の範囲を拡張し、又は変更するものではない。
　したがって、上記訂正は、特許法等の一部を改正する法律（平成６年法律第１１６号）附則第６条第１項の規定によりなお従前の例によるとされる、特許法第１２０条の４第２項及び第３項において準用する特許法第１２６条第２項及び第３項の規定に適合するので、当該訂正を認める。
　  　
４．異議の申立てについての判断
（１）本件訂正後発明
　本件訂正明細書の請求項１に係る発明は、訂正明細書の特許請求の範囲の請求項１に記載された下記のとおりのものである（以下、「訂正後発明」という。）。
「外周を規定する枠体と、該枠体の内側に配設された補強芯材と、前記枠体の両面に取り付けられた耐火性面材とを有する間仕切パネルであって、前記枠体および前記補強芯材は、板状の石膏ボード材を内部に間隙が形成されないように巻回して形成された前記石膏ボード材のみからなる柱状部材により構成されていることを特徴とする間仕切パネル。」
（２）引用刊行物記載の発明
　これに対して、当審が先に通知した取消理由通知で引用した、実願昭５３−５４１７９号（実開昭５４−１５６９１０号）のマイクロフィルム（異議申立人の提出した「甲第１号証」。以下、「刊行物１」という。）には、実用新案登録請求の範囲、第２頁第１〜１１行及び図面の記載を参照すると、「柱等の壁周辺の構造材料に固定される、石膏ボード積層柱状芯材である枠組みと、同じく石膏ボード積層柱状芯材である間柱の両面に、石膏ボードを張り合わせ結合した耐火壁」が記載されている。
　また、実願昭５３−３９７８９号（実開昭５４−１４５９０９号）のマイクロフィルム（異議申立人の提出した「甲第２号証」。以下、「刊行物２」という。）には、実用新案登録請求の範囲、第３頁第３行〜第４頁第２行、第５頁第８〜１８行及び図面の記載を参照すると、「所定間隔で樹立した間柱の前後の壁面に耐火壁板を張設してなる耐火間仕切壁において、間柱は、一表面に紙、合成樹脂等の可撓性シートを接着してなる方形の石膏ボードに可撓性シートに達する深さのＶカット溝を所定位置に複数平行に設け、連続的に形成された複数の板片を各Ｖカット溝において折曲して接着しながら渦巻状に巻回することによって中空角柱状とする」ことが記載されている。
（３）対比・判断
　訂正後発明と、刊行物１に記載された発明とを比較すると、刊行物１に記載された発明の「枠組み」、「間柱」及び「石膏ボード」は、それぞれの機能に照らし、各々、訂正後発明の「枠体」、「補強芯材」及び「耐火性面材」に相当し、刊行物１に記載された発明の「耐火壁」は、柱等の壁周辺の構造材料に固定されるものであり、特に耐力壁としての構成を有しておらず、訂正後発明の「間仕切パネル」と、間仕切壁構成部材である点で共通しているから、両者は、外周を規定する枠体と、該枠体の内側に配設された補強芯材と、前記枠体の両面に取り付けられた耐火性面材とを有する間仕切壁構成部材であって、前記枠体および前記補強芯材は、石膏ボードのみからなる柱状部材により構成されている間仕切壁構成部材の点で一致し、下記の点で相違している。
ａ．間仕切壁構成部材が、訂正後発明では、パネルを構成しているのに対し、刊行物１に記載された発明では、そのような構成がない点。
ｂ．枠体および補強芯材が、訂正後発明では、板状の石膏ボード材を内部に間隙が形成されないように巻回して形成された石膏ボード材のみからなる柱状部材により構成されているのに対し、刊行物１に記載された発明では、石膏ボード積層柱状芯材で構成されている点。
　ここで、間仕切壁構成部材として、間仕切パネルは、例をあげるまでもなく周知であり、刊行物１に記載された発明の耐火壁を、上記相違点ａにおける訂正後発明のように耐火間仕切パネルとすることは、当業者が適宜なし得ることにすぎない。
　一方、刊行物２には、耐火間仕切壁に用いる、板状の石膏ボード材を巻回して形成された柱状部材が記載されており、明記はされていないが、接着しながら渦巻状に巻回しているから、当然接合面には間隙が形成されないように巻回していると解され、また、巻回して柱状部材を形成する際、内部に隙間が形成されないようにして、上記相違点ｂにおける訂正後発明のようにすることは、設計的事項にすぎない。
　したがって、本件訂正後発明は、上記刊行物１および２に記載された発明から、当業者が容易に発明できたものである。
　
５．むすび
　以上のとおりであるから、本件訂正後発明は、特許法第２９条第２項の規定により特許を受けることができない。
　したがって、本件訂正後発明の特許は拒絶の査定をしなければならない特許出願に対してされたものであり、取り消されるべきものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年１２月４日（２０００．１２．４）
【訂正の要旨】
訂正の要旨
　特許第２９９２７９９号の明細書を、特許請求の範囲の減縮を目的として訂正事項ａ、ｂのように、また、訂正事項ａに関連し、特許請求の範囲との整合をとるためなされた明りょうでない記載の釈明を目的として訂正事項ｃのように、さらに、訂正事項ｂに関連してなされた明瞭でない記載の釈明を目的として訂正事項ｄ〜ｇのように訂正する。
　訂正事項ａ：特許請求の範囲の請求項１を、次のように訂正する。
「外周を規定する枠体と、該枠体の内側に配設された補強芯材と、前記枠体の両面に取り付けられた耐火性面材とを有する間仕切パネルであって、前記枠体および前記補強芯材は、板状の石膏ボード材を内部に間隙が形成されないように巻回して形成された前記石膏ボード材のみからなる柱状部材により構成されていることを特徴とする間仕切パネル。」
　訂正事項ｂ：特許請求の範囲の請求項２を削除する。
　訂正事項ｃ：明細書の段落【０００５】を、次のように訂正する。
「【課題を解決するための手段】上記目的を達成するものは、外周を規定する枠体と、該枠体の内側に配設された補強芯材と、前記枠体の両面に取り付けられた耐火性面材とを有する間仕切パネルであって、前記枠体および前記補強芯材は、板状の石膏ボード材を内部に間隙が形成されないように巻回して形成された前記石膏ボード材のみからなる柱状部材により構成されていることを特徴とする間仕切パネルである。」
　訂正事項ｄ：明細書の「【０００７】また、前記柱状部材は、切断された石膏ボード材が部材内に充填されることにより全体が密なものとなっていることが好ましい。」を削除する。
　訂正事項ｅ：明細書の段落【００１４】を、次のように訂正する。
「補強芯材３は、パネル１の強度を高めるものであり、この実施例では、縦方向に配置された縦用補強芯材３ａと、横方向に２本配置された横用補強芯材３ｂとから構成されている。そして、補強芯材３は、枠体２と同様、石膏ボード材７で形成された柱状部材６にて構成されている。本実施例の間仕切パネル１は、枠体２と共に補強芯材３が石膏ボード材７で構成されているので、補強芯材が木質材または軽量鉄骨材で形成されたパネルに比してより耐火性に優れている。」
　訂正事項ｆ：明細書の【図面の簡単な説明】を、次のように訂正する。
「【図１】本発明の間仕切パネルの一実施例の斜視図である。
　【図２】図１に示した間仕切パネルの枠体または補強芯材を構成する柱状部材の横断面図である。
　【図３】図１に示した枠体または補強芯材を構成する柱状部材の展開図である。」
　訂正事項ｇ：図４を削除する。
（５４）【発明の名称】
間仕切パネル
（５７）【特許請求の範囲】
　【請求項１】　外周を規定する枠体と、該枠体の内側に配設された補強芯材と、前記枠体の両面に取り付けられた耐火性面材とを有する間仕切パネルであって、前記枠体および前記補強芯材は、板状の石膏ボード材を内部に間隙が形成されないように巻回して形成された
前記石膏ボード材のみからなる
【発明の詳細な説明】
　　　【０００１】
　　【産業上の利用分野】
　本発明は、建物内を所要の室ごとに区切る間仕切パネルに関するものである。
　　　【０００２】
　　【従来の技術】
　従来より、耐火性間仕切パネルとして、枠体および補強芯材を木質材または軽量鉄骨材で構成し、その両面に石膏ボード材等の耐火性を有する無機質系面材を貼設したものが、一般的に提供されている。そして、この間仕切パネルでは、枠体および補強芯材が、パネルあるいは壁としての強度および剛性を担保し、その耐火性は、両面に貼設された石膏ボード等により保持されていた。
　　　【０００３】
　　【発明が解決しようとする課題】
　しかし、枠体または補強芯材を木質材で構成したものは、火災時に、表面材の耐火、断熱作用により、直ちに燃焼してしまうことはなくても、高温となった場合には発火するおそれがあり、また、軽量鉄骨材で構成したものは、軟化して変形してしまうなど、耐火性の観点から十分とは言えなかった。また、木質材にあっては、昨今の環境保全、省資源の観点から、資材調達または価格面で不安定な傾向を呈しているという問題もある。
　　　【０００４】
　そこで、本発明の目的は、より耐火性に優れ、環境保全、省資源の観点からも好ましく、低コストで作製でき、かつ加工形成も簡単で、工場生産に好適な間仕切パネルを提供することにある。
　　　【０００５】
　　【課題を解決するための手段】
　上記目的を達成するものは、外周を規定する枠体と、該枠体の内側に配設された補強芯材と、前記枠体の両面に取り付けられた耐火性面材とを有する間仕切パネルであって、前記枠体および前記補強芯材は、板状の石膏ボード材を内部に間隙が形成されないように巻回して形成された
前記石膏ボード材のみからなる
　　　【０００６】
　また、前記柱状部材は、板状の石膏ボード材に、断面Ｖ字状の凹部を形成し、該凹部を形成する二面が当接するように折曲して、巻回したものであることが好ましい。
　　　【０００８】
　　【作用】
　本発明の間仕切パネルは、枠体および補強芯材が石膏ボード材で構成されているので、より耐火性に優れている。また、枠体または補強芯材は、板状の石膏ボード材を巻回して形成された柱状部材により構成されているので、壁として必要な強度、剛性を十分に備えている。
　　　【０００９】
　　【実施例】
　そこで、本発明の間仕切パネルを図１ないし図３に示した実施例を用いて説明する。図１は、本発明の間仕切パネルの一実施例の斜視図であり、図２は、図１に示した間仕切パネルの枠体を構成する柱状部材の横断面図であり、図３は、図１に示した枠体を構成する柱状部材の展開図である。
　　　【００１０】
　この実施例の間仕切パネル１は、図１に示すように、外周を規定する枠体２と、枠体２の内側に配設された縦用補強芯材３ａおよび横用補強芯材３ｂと、それらの両面に貼設された耐火性面材４とからなり、枠体２および補強芯材３ａ、３ｂは、石膏ボード材７を巻回して形成した柱状部材６により構成されている。
　　　【００１１】
　枠体２は、図１に示すように、石膏ボード材７で構成される柱状部材６により矩形に形成され、パネル１の外周を規定している。石膏ボード材７は、せっこうに適量の水を加え泥しょう状に練り上げたスラリーを２枚のボード用原紙の間でサンドイッチ状にした後、乾燥して作製したものであり、例えば、せっこうボード（ＪＩＳ　Ａ　６９０１）、吸音用穴あきせっこうボード（ＪｌＳ　Ａ　６３０１）、せっこうラスボード（ＪＩＳ　Ａ　６９０６）、無機繊維強化せっこうボード（ＪｌＳ　Ａ　６９１３）、化粧せっこうボード（ＪｌＳ　Ａ　６９１１）などが好適に使用できる。このように、本実施例の間仕切パネル１は、枠体２が石膏ボード材７で形成されているので、枠体が木質材または軽量鉄骨材で形成されたパネルに比してより耐火性に優れている。
　　　【００１２】
　具体的には、この実施例の枠体２は、図２に示すように、石膏ボード材７を巻回して形成した柱状部材６により構成されている。より具体的には、枠体２を構成する柱状部材６は、図３に示すように、石膏ボード材７の一面を構成する紙材層７ｂ（図３では上側の紙材層）および石膏層７ａを切り欠いて、断面Ｖ字状の凹部７ｃを形成し、凹部７ｃ内面を含む上部全面に接着剤を塗布した後、凹部７ｃを形成する二面が当接するように折曲して、巻回すことにより形成されている。このように一面を構成する紙材層７ｂを残して切り欠くことにより、石膏ボード材７が複数に分断されてしまうことがなく、容易に巻くことができる。また、柱状部材６の太さは、巻回の回数により適宜調整できるので、複数種の標準品を量産でき、工場生産に適している。
　　　【００１３】
　また、この実施例の凹部７ｃは、直交する二面により形成されている。これにより、二面を当接させた場合、石膏ボード材７を直角に折曲することができる。さらに、この実施例の柱状部材６は、内部に間隙を形成しないように巻回されている。具体的には、図３に示すように、石膏ボード材７の複数の凹部７ｃが、石膏ボード材７を巻回した際、間隙が形成されないような位置にそれぞれ形成されている。これにより、より強度または剛性に優れた枠体２を構成することができる。なお、この実施例の柱状部材６は、図２に示すように、側面のすべてに紙材層７ｂが現れるように構成されている。具体的には、図２に示すように、石膏ボード材７の一端部（図３では右端部）に、折曲されることにより石膏層７ａを覆う端部７ｄが形成されている。これにより他の柱状部材６または面材４との固着が容易かつより確実なものとなる。そして、この実施例の枠体２は、石膏ボード材７により形成した柱状部材６を矩形に配置し、接着剤にて固着することにより構成されている。
　　　【００１４】
　補強芯材３は、パネル１の強度を高めるものであり、この実施例では、縦方向に配置された縦用補強芯材３ａと、横方向に２本配置された横用補強芯材３ｂとから構成されている。そして、補強芯材３は、枠体２と同様、石膏ボード材７で形成された柱状部材６にて構成されている。本実施例の間仕切パネル１は、枠体２と共に補強芯材３が石膏ボード材７で構成されているので、補強芯材が木質材または軽量鉄骨材で形成されたパネルに比してより耐火性に優れている。
　　　【００１５】
　枠体２および補強芯材３の両面には、耐火性面材４が貼設される。この実施例の耐火性面材４は、無機面材が好適であり、特に石膏ボード材７が好適である。石膏ボード材７としては、前述したものが好適に使用できる。このように、本実施例の間仕切パネル１は、構成部材のすべて（枠体２、補強芯材３および面材４）が、石膏ボード材で形成されているので、耐火性に優れている。また、環境保全、省資源の観点からも好ましく、低コストで作製できる。さらに、木材と同様に容易に切断できるので、加工形成も簡単で、工場生産に好適である。なお、面材４を貼設する前に、枠体２内にグラスウール等の断熱材あるいは遮音材を配設してもよい。これにより、断熱性および遮音性を更に高めることができる。
　　　【００１６】
　　【発明の効果】
　本発明の間仕切パネルは、外周を規定する枠体の内面に補強芯材を配設すると共に両面に耐火性面材を取り付けた間仕切パネルにおいて、前記枠体および前記補強芯材を板状の石膏ボード材を巻回して形成した柱状部材により構成したものであるので、より耐火性に優れ、環境保全、省資源の観点からも好ましく、低コストで作製でき、かつ加工形成も簡単で、工場生産に好適である。また、本発明の間仕切パネルの枠体または補強芯材は、板状の石膏ボード材を巻回して形成した柱状部材により構成されているので、壁として必要な強度、剛性を十分に備えたものとすることができる。
【図面の簡単な説明】
　　【図１】
　本発明の間仕切パネルの一実施例の斜視図である。
　　【図２】
　図１に示した間仕切パネルの枠体または補強芯材を構成する柱状部材の横断面図である。
　　【図３】
　図１に示した枠体または補強芯材を構成する柱状部材の展開図である。
　　【符号の説明】
１　間仕切パネル
２　枠体
３　補強芯材
４　耐火性面材
６　柱状部材
７　石膏ボード材
【図面】